(57)【要約】【課題】横引き管よりも上流側で異物が詰まった場合でもその異物を容易に除去する。【解決手段】横引き管２４よりも上流側（例えば、下流管部１８ＣのＲ部分）に異物が詰まった場合には、まず、締付部材５１Ｂ及び締付部材５２Ｂの締め付けを緩め、筒状部材５１Ａ及び筒状部材５２Ａを軸方向へずらす。次に、排水導入管１８の直線管部１８Ａをその径方向へ移動させて、直線管部１８Ａを取り外し、異物を除去することができる。直線管部１８Ａを軸方向に取り外す場合では、上流管部１８Ｂ及び下流管部１８Ｃが邪魔になるため、上流管部１８Ｂ及び下流管部１８Ｃを少なくとも一方を移動させる必要が生じるが、直線管部１８Ａが径方向に取り外せるので、上流管部１８Ｂ及び下流管部１８Ｃを移動することなく位置固定したまま、直線管部１８Ａを取り外せ、異物の除去が容易となる。【選択図】図７
2010281070.tif 000002
【特許請求の範囲】
【請求項１】
直線状に延びる直線管部と、該直線管部の上流側に配置される上流管部と、該直線管部の下流側に配置される下流管部とを有し、水廻り器具からの排水を下方へ流す排水導入管と、
前記排水導入管と連通して横方向へ延び、前記排水導入管からの排水を横方向へ流す横引き管と、
前記直線管部を径方向へ取り外し可能に、前記直線管部の上流端部と前記上流管部とを接続する第１継手と、
前記直線管部を径方向へ取り外し可能に、前記直線管部の下流端部と前記下流管部とを接続する第２継手と、
を備え、勾配によらない送水力を前記排水に作用させて排水する排水システム。
【請求項２】
前記横引き管と連通して下方へ延び、前記横引き管からの排水を流下させることにより、前記送水力としてのサイフォン力を発生させる竪管を備える排水システム。
【請求項３】
前記直線管部は、上流端の端面が前記上流管部の下流端の端面と面接触し、下流端の端面が前記下流管部の上流端の端面と面接触する請求項１又は請求項２に記載の排水システム。
【請求項４】
前記第１継手は、前記直線管部及び前記上流管部の外周を囲み、軸方向にスライド移動することにより前記直線管部を径方向へ取り外し可能にする筒状の筒状部材を備えて構成され、
前記第２継手は、前記直線管部及び前記下流管部の外周を囲み、軸方向にスライド移動することにより前記直線管部を径方向へ取り外し可能にする筒状の筒状部材を備えて構成されている請求項１〜３のいずれか１項に記載の排水システム。
【請求項５】
前記第１継手としての前記筒状部材は、前記直線管部と前記上流管部との間を水密にする止水機能を有し、前記第２継手としての筒状部材は、前記直線管部と前記下流管部との間を水密にする止水機能を有する請求項４に記載の排水システム。
【請求項６】
前記排水導入管と連通し、前記水廻り器具からの排水によって押圧された前記排水導入管内の空気が流入可能とされ、室内が拡縮可能な密閉された空気室を備える請求項２又は請求項２に従属する請求項３〜５のいずれか１項に記載の排水システム。
【請求項７】
前記空気室は、前記直線管部で連通し、前記直線管部と一体に取り外しされる請求項６に記載の排水システム。
【請求項８】
前記空気室は、サイフォン起動基準水頭よりも上方で前記排水導入管と連通している請求項６又は請求項７に記載の排水システム。
【請求項９】
前記サイフォン起動基準水頭よりも上方で前記排水導入管と一端部が連通し、他端部が上方に延出されると共に前記空気室と連通する連通管を備える請求項８に記載の排水システム。
【請求項１０】
前記連通管は、一端部が前記排水導入管の下部と連通し、他端部が上方に延出している請求項９に記載の排水システム。
【請求項１１】
前記外部からの空気を前記排水導入管へ通過させると共に前記排水導入管から前記外部へ排水を通過させない通気弁を備える請求項６〜１０のいずれか１項に記載の排水システム。
【請求項１２】
前記空気室から前記排水導入管側へ流入する空気の流入抵抗が、前記通気弁から前記排水導入管側へ流入する空気の流入抵抗よりも小さい請求項１１に記載の排水システム。
【請求項１３】
前記通気弁は、
前記水廻り器具の排水口に設けられ、弾性材料で筒状に形成され、上流側が常時開口しており、下流側が開閉可能とされ、かつ自由状態では閉じている自封式の排水トラップである請求項１１又は請求項１２に記載の排水システム
【請求項１４】
前記空気室が内部に形成され、膜体で形成された袋状の袋部材を備える請求項６〜１３のいずれか１項に記載の排水システム。
【請求項１５】
前記水廻り器具には、水廻り器具の排出口に投入された投入物を粉砕し、その粉砕物を排水と共に流下可能にするディスポーザが設けられている請求項１〜１４のいずれか１項に記載の排水システム。
【発明の詳細な説明】
【技術分野】
【０００１】
本発明は、勾配によらない送水力を排水に作用させて排水する排水システムに関する。
【背景技術】
【０００２】
近年、従来の勾配排水システムに替わって、勾配によらない送水力を排水に作用させて排水する排水システムが提案されている。この排水システムとしては、特許文献１に開示されるようにサイフォン排水システムが提案されている。サイフォン排水システムは、水廻り器具とサイフォン排水管とを含んで構成されている。
サイフォン排水管は、床スラブに沿って無勾配で配管された横引き管と、垂下部をなす竪管とで構成されている。このように構成されたサイフォン排水システムによれば、竪管にて発生するサイフォン力（負圧力）を利用して、水廻り器具からの排水効率の向上を図ることができる。
【先行技術文献】
【特許文献】
【０００３】
【特許文献１】特開２００８−２９７８１９号公報
【発明の概要】
【発明が解決しようとする課題】
【０００４】
サイフォン排水システムの課題としては、小径で配管することによって生じる配管の詰まりが挙げられる。管壁に付着する汚れによる詰まりに関しては、従来排水と比較して流速が非常に高いことから、汚れが付着することが少なく、付着した場合でも高流速によって剥がされて流されていくことがわかっている。
そこで、詰まりに対する対策としては、主に固形物に関する詰まりが課題になる。固形物の詰まりに対する最大の対策は、排水口部分で目皿等の設置により、流入を防止することである。
【０００５】
固形物が目皿を通過したとしても、目皿を通過するような小さい固形物は、高流速によって、配管の途中で詰まることなく流さていくので問題とならない。
しかしながら、箸や歯ブラシなどの細長いもの場合は、目皿をすり抜けた後、配管途中で詰まってしまう恐れがあった。仮に、細長いものも流入しない目皿を設置した場合では、細かい隙間の網の様な形状となってしまい、その場合排水性を阻害する恐れがあった。
そこで、細長いものの詰まりに対して、配管に流入しても容易に除去ができる構造が求められた。
【０００６】
低位排水の水廻り器具（例えば、ユニットバスや洗濯機）では、水廻り器具から直接横引き管が接続されるので、もし細長い異物の混入によって詰まっても、水廻り器具と横引き管とを接続する継手を外すことができるので、異物の除去は可能であった。
これに対して、高位排水の水廻り器具（例えば、洗面器やキッチン）では、水廻り器具と横引き管とは、長さのある排水導入管によって連通し、細長い異物が、横引き管の上流側にあるＲ部分に詰まりやすかった。サイフォン排水システムにおいては、特許文献１に示すように、サイフォン排水管が取り外し可能に接続されているもの、排水導入管が取り外せず、Ｒ部分に異物が詰まると異物を除去できなかった。
【０００７】
本発明は、上記事実を考慮し、横引き管よりも上流側で異物が詰まった場合でもその異物を容易に除去できる排水システムを提供することを目的とする。
【課題を解決するための手段】
【０００８】
本発明の請求項１に係る排水システムは、直線状に延びる直線管部と、該直線管部の上流側に配置される上流管部と、該直線管部の下流側に配置される下流管部とを有し、水廻り器具からの排水を下方へ流す排水導入管と、前記排水導入管と連通して横方向へ延び、前記排水導入管からの排水を横方向へ流す横引き管と、前記直線管部を径方向へ取り外し可能に、前記直線管部の上流端部と前記上流管部とを接続する第１継手と、前記直線管部を径方向へ取り外し可能に、前記直線管部の下流端部と前記下流管部とを接続する第２継手と、を備え、勾配によらない送水力を前記排水に作用させて排水する。
【０００９】
この構成によれば、水周り器具からの排水は、排水導入管内を下方へ流れる。排水導入管内を下方へ流れた排水は、さらに、横引き管内を横方向へ流れる。本排水システムでは、勾配によらない送水力を排水に作用させて排水する。
ここで、請求項１の構成では、横引き管よりも上流側で異物が詰まった場合でも、直線管部を径方向に取り外して、その異物を除去することができる。
【００１０】
直線管部を軸方向に取り外す場合では、上流管部及び下流管部が邪魔になるため、上流管部及び下流管部を少なくとも一方を移動させる必要が生じるが、請求項１の構成では、直線管部が径方向に取り外せるので、上流管部及び下流管部を移動することなく位置を固定したまま、直線管部を取り外せ、異物の除去が容易となる。
【００１１】
本発明の請求項２に係る排水システムは、請求項１の構成において、前記横引き管と連通して下方へ延び、前記横引き管からの排水を流下させることにより、前記送水力としてのサイフォン力を発生させる竪管を備える。
この構成では、排水は、竪管を流下して、送水力としてのサイフォン力が発生する。このサイフォン力により、排水導入管内、横引き管内及び竪管内の排水が誘導され、その排水が促進される。
【００１２】
本発明の請求項３に係る排水システムは、請求項１又は請求項２の構成において、前記直線管部は、上流端の端面が前記上流管部の下流端の端面と面接触し、下流端の端面が前記下流管部の上流端の端面と面接触する。
この構成によれば、直線管部、上流管部及び下流管部への複雑な加工を必要とせず、直線管部、上流管部及び下流管部を簡易な構成とすることが可能である。
【００１３】
本発明の請求項４に係る排水システムは、請求項１〜３のいずれか１項の構成において、前記第１継手は、前記直線管部及び前記上流管部の外周を囲み、軸方向にスライド移動することにより前記直線管部を径方向へ取り外し可能にする筒状の筒状部材を備えて構成され、前記第２継手は、前記直線管部及び前記下流管部の外周を囲み、軸方向にスライド移動することにより前記直線管部を径方向へ取り外し可能にする筒状の筒状部材を備えて構成されている。
この構成によれば、第１継手を構成する筒状部材と、第２継手を構成する筒状部材とを軸方向へスライド移動させることにより直線管部が径方向に取り外せるので、直線管部の取り外しが容易となる。
【００１４】
本発明の請求項５に係る排水システムは、請求項４の構成において、前記第１継手としての前記筒状部材は、前記直線管部と前記上流管部との間を水密にする止水機能を有し、前記第２継手としての筒状部材は、前記直線管部と前記下流管部との間を水密にする止水機能を有する。
この構成によれば、止水させるための部材を別途設ける必要が無くなり、部品点数を低減できる。
【００１５】
本発明の請求項６に係る排水システムは、請求項２又は請求項２に従属する３〜５のいずれか１項の構成において、前記排水導入管と連通し、前記水廻り器具からの排水によって押圧された前記排水導入管内の空気が流入可能とされ、室内が拡縮可能な密閉された空気室を備える。
この構成によれば、排水導入管内の下流端部などに溜まった排水などによって、排水導入管内の空気が下流側に排出されにくい状態となった場合でも、水廻り器具からの排水が排水導入管を流れる際に、その排水に押圧される排水導入管内の空気が空気室内に逃げられるので、排水がスムーズに排水導入管を流れる。これにより、水廻り器具の排水口付近の排水の滞留が抑制できる。
【００１６】
本発明の請求項７に係る排水システムは、請求項６の構成において、前記空気室は、前記直線管部で連通し、前記直線管部と一体に取り外しされる。
この構成によれば、空気室が直線管部と一体に取り外せるので、空気室のメンテナンス作業等が容易となる。
【００１７】
本発明の請求項８に係る排水システムは、請求項６又は請求項７の構成において、前記空気室は、サイフォン起動基準水頭よりも上方で前記排水導入管と連通している。
ここで、サイフォン起動基準水頭とは、サイフォン力が発生するために必要な排水の排水管（排水導入管、横引き管及び竪管）内における水位であり、このサイフォン起動基準水頭よりも上方で、空気室が排水導入管と連通しているので、空気室内に排水導入管から排水が流入しにくい。
【００１８】
本発明の請求項９に係る排水システムは、請求項８の構成において、前記サイフォン起動基準水頭よりも上方で前記排水導入管と一端部が連通し、他端部が上方に延出されると共に前記空気室と連通する連通管を備える。
この構成によれば、サイフォン起動基準水頭よりも上方で排水導入管と一端部が連通する連通管は、上方に延出された他端部が空気室と連通するので、空気室内に排水導入管から排水がより流入しにくい。
【００１９】
本発明の請求項１０に係る排水システムは、請求項９の構成において、前記連通管は、一端部が前記排水導入管の下部と連通し、他端部が上方に延出している。
この構成によれば、一端部が排水導入管の下部に連通しているので、一端部が排水導入管の上部に連通している場合に比べて、他端部を上方へ長く延ばせるスペースを確保できる。
【００２０】
本発明の請求項１１に係る排水システムは、請求項６〜１０のいずれか１項の構成において、前記外部からの空気を前記排水導入管へ通過させると共に前記排水導入管から前記外部へ排水を通過させない通気弁を備える。
本発明の構成によれば、サイフォン力が作用して排水導入管内の排水と共に空気が下流側に引っ張られると、空気室内に逃げた空気が排水導入管に流入することになるが、請求項９の構成によれば、空気室内の空気が無くなった後に排水導入管内の空気が下流側に引っ張られた場合でも、通気弁から空気が流入するので、排水導入管内がより負圧となりにくい。
これにより、排水導入管内が負圧となることで生じる問題、例えば、水廻り器具の水封式の排水トラップで空気を吸い込むことで生じる騒音や排水トラップの破封などを解消できる。
【００２１】
本発明の請求項１２に係る排水システムは、請求項１１の構成において、前記空気室から前記排水導入管側へ流入する空気の流入抵抗が、前記通気弁から前記排水導入管側へ流入する空気の流入抵抗よりも小さい。
この構成によれば、空気室から排水導入管側へ流入する空気の流入抵抗が、通気弁から排水導入管側へ流入する空気の流入抵抗よりも小さい。すなわち、排水導入管へは、通気弁からよりも空気室からのほうが、空気が流入しやすくなる。
このため、サイフォン力が作用して排水導入管内の排水と共に空気が下流側に引っ張られると、空気室内に逃げた空気が最初に排水導入管に流入してから、通気弁から空気が流入する。これにより、空気室の室内が縮小されて元の状態に戻るので、この後に水廻り器具から排水された場合でも、その排水に押圧される排水導入管内の空気を空気室内に逃がすことができる。このように、排水が繰り返された場合でも、水廻り器具の排水口付近の排水の滞留が抑制できる。
【００２２】
本発明の請求項１３に係る排水システムは、請求項１１又は請求項１２の構成において、前記通気弁は、前記水廻り器具の排水口に設けられ、弾性材料で筒状に形成され、上流側が常時開口しており、下流側が開閉可能とされ、かつ自由状態では閉じている自封式の排水トラップである。
この構成によれば、通気弁と排水トラップとが兼用となるので、部品点数が低減できる。
【００２３】
本発明の請求項１４に係る排水システムは、請求項６〜１３の構成において、前記空気室が内部に形成され、膜体で形成された袋状の袋部材を備える。
この構成によれば、膜体で形成された袋状の袋部材の内部に空気室が形成されるので、空気室を小さいスペースで簡易な構成によって形成できる。
【００２４】
本発明の請求項１５に係る排水システムは、請求項１〜１４のいずれか１項の構成において、前記水廻り器具には、水廻り器具の排出口に投入された投入物を粉砕し、その粉砕物を排水と共に流下可能にするディスポーザが設けられている。
この構成によれば、粉砕物と共に排水を流すものであるから、排水導入管内の下流端部などに粉砕物及び排水が残留して詰まりやすい。これに対して、本発明の構成では、横引き管よりも上流側で異物が詰まった場合でも、直線管部を径方向に取り外して、その異物を除去することができる。このため、ディスポーザを設けた構成においても、異物の除去が容易となる。
【発明の効果】
【００２５】
本発明は、上記構成としたので、横引き管よりも上流側で異物が詰まった場合でもその異物を容易に除去できる。
【図面の簡単な説明】
【００２６】
【図１】図１は、本実施形態に係るサイフォン排水システムの全体構成を示す概略図である。
【図２】図２は、本実施形態に係るサイフォン排水システムの構成を部分的に拡大した部分拡大図である。
【図３】図３は、水廻り器具にディスポーザを設けた変形例を示す概略図である。
【図４】図４は、排水導入管に配置された第１継手及び第２継手の構成を示す概略図である。
【図５】図５は、排水導入管に配置された第１継手及び第２継手の変形例を示す概略図である。
【図６】図６は、図５に示す変形例に係る第１継手及び第２継手の断面図である。
【図７】図７は、排水導入管のＲ部分に詰まった異物を除去する様子を示す概略図である。
【図８】図８は、排水導入管の直線管部に空気室を連通させた構成を示す概略図である。
【図９】図９は、空気室を形成する形成部材として、蛇腹状の側壁を有する蛇腹状部材を用いた構成を示す概略図である。
【図１０】図１０は、図９に示す蛇腹状部材が伸長した状態を示す概略図である。
【図１１】図１１は、排水導入管の下流管部に空気室を連通させた変形例を示す概略図である。
【図１２】図１２は、連通管の下流端部を水廻り器具の上方に配置した変形例を示す概略図である。
【図１３】図１３は、連通管が排水導入管から斜め上方に延びる変形例を示す概略図である。
【図１４】図１４は、連通管が排水導入管から水平方向に延びる変形例を示す概略図である。
【図１５】図１５は、通気弁を排水導入管の上流管部に配置した変形例を示す概略図である。
【図１６】図１６は、自封式の排水トラップを通気弁として用いた変形例を示す概略図である。
【図１７】図１７は、自封式の排水トラップの構成を示す概略図である。
【図１８】図１８は、自封式の排水トラップの構成を示す断面図である。
【図１９】図１９は、排水導入管のＲ部分及び横引き管の上流端部に排水が滞留する様子を示した概略図である。
【図２０】図２０は、水廻り器具から排水が開始された状態を示す概略図である。
【図２１】図２１は、排水導入管内の空気が空気室に流入した状態を示す概略図である。
【図２２】図２２は、排水導入管内を流れた排水が、横引き管を流れ、竪管を流下してサイフォン力が作用し始めた状態を示す概略図である。
【図２３】図２３は、空気室内の空気が排水導入管に流入した状態を示す概略図である。
【図２４】図２４は、通気弁を通じて排水導入管に空気が流入した状態を示す概略図である。
【図２５】図２５は、水廻り器具において洗い流しがなされた場合における排水導入管内の圧力変動と、その圧力変動に伴う袋部材の状態変化及び通気弁の通気状態を示した図である。
【図２６】図２６は、真空ポンプを利用した排水システムの構成を示す概略図である。
【図２７】図２７は、圧送ポンプを利用した排水システムの構成を示す概略図である。
【発明を実施するための形態】
【００２７】
以下に、本発明に係る実施形態の一例を図面に基づき説明する。
下記の実施形態では、勾配によらない送水力を排水に作用させて排水する排水システムの一例として、サイフォン排水システムについて説明する。
（第１実施形態に係るサイフォン排水システムの構成）
まず、第１実施形態に係るサイフォン排水システムの構成について説明する。図１は、第１実施形態に係るサイフォン排水システムの全体構成を示す概略図である。
【００２８】
第１実施形態に係るサイフォン排水システム１０は、サイフォン力を利用して水廻り器具からの排水を効率よく排出する排水システムである。第１実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００２９】
第１実施形態に係るサイフォン排水システム１０は、図１に示すように、排水を下方へ流す排水立て管１２を備えている。この排水立て管１２は、集合住宅の上下方向（縦方向）に延設され、集合住宅の各階の床スラブ１４を貫いている。
集合住宅の各階の各戸には、排水がなされる水廻り器具１６が設けられている。水廻り器具１６は、例えば、台所流しで構成されている。なお、水廻り器具１６としては、洗面台、洗濯機、ユニットバス及びトイレ等のいずれかで構成されていてもよい。
【００３０】
水廻り器具１６には、図１及び図２に示すように、汚臭やガス等の逆流を防止するための排水トラップ１７が設けられている。排水トラップ１７は、いわゆる碗トラップで構成されている。また水廻り器具１６の排水口１６Ａ部分には、目皿１９が設けられている。
なお、本実施形態では、排水トラップ１７として碗トラップを用いているが、排水トラップ１７としては、ＳトラップやＰトラップなど他のトラップを用いてもよい。
【００３１】
また、図３に示すように、水廻り器具１６には、水廻り器具１６の排出口１６Ａに投入された生ゴミ等の投入物を粉砕し、その粉砕物を排水と共に流下可能にするディスポーザ２１を設けた構成であってもよい。
この水廻り器具１６には、水廻り器具１６から下方に延び、水廻り器具１６からの排水を下方へ流す排水導入管１８が設けられている。この排水導入管１８は、一端部（上流端部）が水廻り器具１６の下端部に接続され、他端部（下流端部）がサイフォン排水管２２に接続されている。
なお、排水導入管１８は、縦方向に伸びている必要は無く、若干斜めに傾いていてもよい。
【００３２】
サイフォン排水管２２は、床スラブ１４上に無勾配で設置され排水導入管１８と連通して横方向に延びる横引き管２４と、この横引き管２４と連通して排水立て管１２に沿って下方へ延びる竪管２６と、を有している。
なお、横引き管２４は、若干の勾配や逆勾配があってもよく、傾斜して横方向に配置される構成であってもよい。
【００３３】
竪管２６は、排水立て管１２に配置された合流継手２３に接続されており、合流継手２３を介して排水立て管１２と連通している。
横引き管２４及び竪管２６は、一つの経路で構成される排水管で構成され、サイフォン排水管２２内では、排水立て管１２までは他の排水管と途中で合流することなく、排水立て管１２へ排水を導くようになっている。
【００３４】
横引き管２４は、排水導入管１８からの排水を横方向へ流し、竪管２６は、横引き管２４からの排水を流下させることによりサイフォン力を発生させる。横引き管２４内の排水には、竪管２６で発生するサイフォン水頭Ｈｓのエネルギーにより、排水方向へ向かうサイフォン力が作用される。
また、横引き管２４及び竪管２６は細くなれば、排水が満水の状態になりサイフォン力が発生しやすい一方、排水処理量が低下する。従って、横引き管２４及び竪管２６は、サイフォン力の発生のしやすさ及び必要な排水処理量を考慮した上で管の内径が設定され、例えば、２０Ａにされている。
【００３５】
ここで、第１実施形態に係るサイフォン排水システム１０では、図２に示すように、排水導入管１８が、直線状に延びる直線管部１８Ａと、直線管部１８Ａの上流側に配置される上流管部１８Ｂと、直線管部１８Ａの下流側に配置される下流管部１８Ｃと、を備えている。
【００３６】
上流管部１８Ｂは、水廻り器具１６の下端部に固定され、水廻り器具１６の排水トラップ１７と連通している。具体的には、水廻り器具１６の排水トラップ１７の下端部に、外周にねじ部１５Ａが形成された筒体１５が形成されており、この筒体１５に止水リング１３を介して、上流管部１８Ｂがねじ止めされている。
これにより、上流管部１８Ｂの上流端部（図２における上端部）は、排水トラップ１７の排水が流出する流出口１７Ａと連通し、排水トラップ１７から流出された排水が上流管部１８Ｂに流入する。
【００３７】
直線管部１８Ａは、上下方向（縦方向）に延びる垂直管で構成されており、上流端の端面２１Ａが上流管部１８Ｂの下流端の端面２５Ａと面接触している。この端面２５Ａは、上流管部１８Ｂの軸方向に直交する方向に沿った面とされている。端面２１Ａは、直線管部１８Ａの軸方向に直交する方向に沿った面とされている。
【００３８】
下流管部１８Ｃは、Ｒ状に形成されたＲ部分を含んで構成されており、下流端部が横引き管２４の上流端部に継手３９を介して接続されている。
下流管部１８Ｃの上流端の端面２７Ａは、直線管部１８Ａの下流端の端面２１Ｂと面接触している。端面２１Ｂは、直線管部１８Ａの軸方向に直交する方向に沿った面とされている。端面２７Ａは、下流管部１８Ｃの軸方向に直交する方向に沿った面とされている。
【００３９】
排水導入管１８には、直線管部１８Ａを径方向へ取り外し可能に直線管部１８Ａの上流端部と上流管部１８Ｂとを接続する第１継手５１が設けられている。
第１継手５１は、図４（Ａ）に示すように、直線管部１８Ａ及び上流管部１８Ｂの外周を囲み、軸方向にスライド移動することにより直線管部１８Ａを径方向へ取り外し可能にする筒状の筒状部材５１Ａを備えて構成されている。筒状部材５１Ａは、例えば、ビニル樹脂やゴムで形成されている。
【００４０】
筒状部材５１Ａには、筒状部材５１Ａの外周から筒状部材５１Ａを締め付ける締付部材５１Ｂが設けられている。これにより、直線管部１８Ａと上流管部１８Ｂとの間の水密が確保される。
締付部材５１Ｂとしては、図４（Ｃ）に示すように、装着される管部（直線管部１８Ａ、上流管部１８Ｂ及び下流管部１８Ｃのいずれか)の外周を挟持する挟持部材７０と、ねじ部材７２とを備える構成とすることが可能である。
【００４１】
挟持部材７０は、一端及び他端が分離してＣ形状にされた環状部７０Ａと、環状部７０Ａの一端及び他端から径方向外側へ延出された一対の延出部７０Ｂ、７０Ｃと、を備えて構成されている。
ねじ部材７２は、一対の延出部７０Ｂ、７０Ｃに形成された貫通孔７３に挿し通されている。ねじ部材７２の一端部には、ねじの回転操作をするための把持部７２Ａが形成されており、他端部には、ナット７４がねじ込まれている。
【００４２】
把持部７２Ａと延出部７０Ｂとの間には、ねじ部材７２に形成されねじ部材７２の径方向外側に張り出すフランジ部７２Ｂが形成されている。ナット７４と延出部７０Ｃとの間には、ねじ部材７２が貫通する板部材７６が設けられている。
把持部７２Ａを掴んで、ねじ部材７２を回転させてねじ部材７２をナット７４にねじ込むことにより、フランジ部７２Ｂと板部材７６が近づくことで、一対の延出部７０Ｂ、７０Ｃが近づき、環状部７０Ａの内径（内部領域）が縮小し、装着される管部を締め付ける。また、ねじ部材７２を逆回転させることにより、フランジ部７２Ｂと板部材７６が遠ざかることで、一対の延出部７０Ｂ、７０Ｃが遠ざかり、環状部７０Ａの内径（内部領域）が拡大し、装着される管部の締め付けを緩める。
【００４３】
また、締付部材５１Ｂとしては、図４（Ｂ）に示すように、針金等の線条部材がその一部が重なるように巻かれて環状に形成された一対の環状部８０Ａ、８０Ｂと、針金等の線条部材により環状部８０Ａ、８０Ｂに一体に設けられた一対の操作部８２Ａ、８２Ｂとを備えている。
環状部８０の内径は、管部（直線管部１８Ａ、上流管部１８Ｂ及び下流管部１８Ｃのいずれか)の外径よりも小さくされている。
【００４４】
操作部８２Ａの線条部材は、コの字状（Ｕの字状）に形成され、一端が環状部８０Ａの線条部材の一端と連結され、他端が環状部８０Ｂの線条部材の一端と連結されている。
操作部８２Ｂの線条部材は、コの字状（Ｕの字状）に形成され、一端が環状部８０Ａの線条部材の他端と連結され、他端が環状部８０Ｂの線条部材の他端と連結されている。
操作部８２Ａ、８２Ｂが近づくように操作することにより、環状部８０の内径が拡大され、操作部８２Ａ、８２Ｂを離すことにより、元の内径に戻るように縮径される。
【００４５】
なお、締付部材５１Ｂの構成としては、図４（Ｂ）及び図４（Ｃ）に示される構成にかぎられず、種々の構成とすることが可能である。
また、筒状部材５１Ａのみで水密が確保できる止水機能を有する場合等においては、締付部材５１Ｂを用いない構成であってもよい。また、１つの筒状部材５１Ａに対する締付部材５１Ｂの個数は、２つに限られず、３つ以上であっても良いし、１つであってもよい。
【００４６】
排水導入管１８には、直線管部１８Ａを径方向へ取り外し可能に、直線管部１８Ａの下流端部と下流管部１８Ｃとを接続する第２継手５２が設けられている。
第２継手５２は、直線管部１８Ａ及び下流管部１８Ｃの外周を囲み、軸方向にスライドすることにより直線管部１８Ａを径方向へ取り外し可能にする筒状の筒状部材５２Ａを備えて構成されている。筒状部材５２Ａは、例えば、ビニル樹脂やゴムで形成されている。
筒状部材５２Ａには、筒状部材５２Ａの外周から筒状部材５２Ａを締め付ける締付部材５２Ｂが設けられている。これにより、直線管部１８Ａと下流管部１８Ｃとの間の水密が確保される。
【００４７】
締付部材５２Ｂとしては、締付部材５１Ｂと同様に、図４（Ｂ）及び図４（Ｃ）に示す構成とすることができる。
なお、締付部材５２Ｂの構成としては、図４（Ｂ）及び図４（Ｃ）に示される構成にかぎられず、種々の構成とすることが可能である。
また、筒状部材５２Ａのみで水密が確保できる止水機能を有する場合等においては、締付部材５２Ｂを用いない構成であってもよい。また、１つの筒状部材５２Ａに対する締付部材５２Ｂの個数は、２つに限られず、３つ以上であっても良いし、１つであってもよい。
【００４８】
なお、第１継手５１及び第２継手５２としては、図５及び図６に示すように、「ストラブカップリング（登録商標）  ショーボンドカップリング株式会社製」などを用いても良い。
このストラブカップリング（登録商標）６０を用いた構成では、ボルト６２を締め付けると、断面Ｃ形状の筒形のハウジング６４が縮径される。ハウジング６４を縮径させると、ゴムで形成された環状のゴムスリーブ６６が縮径する。これにより、ゴムスリーブ６６の内周側に折曲形成されたリップ部６８が、直線管部１８Ａと上流管部１８Ｂ（第２継手５２においては、下流管部１８Ｃ）に密着し、直線管部１８Ａと上流管部１８Ｂ（第２継手５２においては、下流管部１８Ｃ）との間が密閉される。
【００４９】
（第１実施形態に係るサイフォン排水システム１０の作用）
次に、第１実施形態に係るサイフォン排水システム１０の作用を説明する。
第１実施形態に係るサイフォン排水システム１０の構成によれば、水周り器具１６からの排水は、排水導入管１８内を下方へ流れる。排水導入管１８内を下方へ流れた排水は、さらに、横引き管２４内を横方向へ流れる。
【００５０】
次いで、排水は、竪管２６を流下し、竪管２６におけるサイフォン水頭Ｈｓのポテンシャルエネルギーにより、サイフォン力が発生する。このサイフォン力により、排水導入管１８、横引き管２４及び竪管２６内の排水が誘導され、その排水が促進される。
このため、竪管２６側へ下る下り勾配が横引き管２４になくとも、逆に若干の逆勾配があったとしても、サイフォン力により排水を導くことができる。
【００５１】
ここで、サイフォン排水システム１０では、図７（Ａ）に示すように、横引き管２４よりも上流側（例えば、下流管部１８ＣのＲ部分）に異物が詰まった場合には、図７（Ｂ）に示すように、まず、締付部材５１Ｂ及び締付部材５２Ｂの締め付けを緩め、筒状部材５１Ａ及び筒状部材５２Ａを軸方向へずらす。なお、筒状部材５１Ａは、上流管部１８Ｂ側へずらされており、筒状部材５２Ａは、直線管部側にずらされている。
【００５２】
次に、図７（Ｃ）に示すように、排水導入管１８の直線管部１８Ａをその径方向へ移動させて、直線管部１８Ａを取り外し、異物を除去することができる。
直線管部１８Ａを軸方向に取り外す場合では、上流管部１８Ｂ及び下流管部１８Ｃが邪魔になるため、上流管部１８Ｂ及び下流管部１８Ｃを少なくとも一方を移動させる必要が生じるが、第１実施形態の構成では、直線管部１８Ａが径方向に取り外せるので、上流管部１８Ｂ及び下流管部１８Ｃを移動することなく位置固定したまま、直線管部１８Ａを取り外せ、異物の除去が容易となる。
【００５３】
なお、異物が詰まる原因としては、細長い異物が水廻り器具１６の目皿１９を通り抜けて排水導入管１８内に入り込み場合や排水トラップ１７や排水導入管１８のメンテナンスの際に誤って排水導入管１８内に異物を落としてしまった場合などが考えられる。
また、ディスポーザ２１を設けた構成においては、粉砕物と共に排水を流すものであるから、排水導入管１８内の下流管部１８Ｃなどに粉砕物及び排水が残留して詰まる場合が考えられる。
【００５４】
（第２実施形態に係るサイフォン排水システム１００の構成）
次に、第２実施形態に係るサイフォン排水システム１００の構成について説明する。
第２実施形態に係るサイフォン排水システム１００の全体構成は、第１実施形態に係るサイフォン排水システムと同様であるので、異なる部分を以下に説明する。また、第１実施形態と同一部分については、同一の符号を付している。
【００５５】
第２実施形態に係るサイフォン排水システム１００は、図８に示すように、水廻り器具１６からの排水によって押圧された排水導入管１８内の空気が流出可能とされた空気室２８と、この空気室２８と排水導入管１８とを連通させる連通管３０とを備えている。
空気室２８は、膜体で形成された袋状の袋部材３４の内部に形成されており、室内が拡縮可能な密閉空間とされている。
【００５６】
袋部材３４には開口３４Ａが形成されており、この開口３４Ａに連通管３０が接続されている。袋部材３４としては、伸縮自在に弾性材料で形成されたものなどを用いることができ、材質としては、例えば、ゴム、ビニル、エラストマーなどを用いることができる。
袋部材３４は、内部の空気室２８に空気が流入することにより、膨出した膨出状態となり、内部の空気室２８から空気が流出することにより、扁平となった扁平状態となる。
【００５７】
空気室２８を形成する形成部材としては、袋部材３４に限られず、種々の部材を用いることが可能である。形成部材としては、例えば、ピストンが往復移動可能に設けられたシリンダで構成してもよい。この構成では、ピストンが往復移動することにより、シリンダの内部に形成される空気室が拡縮する。
【００５８】
また、形成部材としては、図９に示すように、蛇腹状にされた側壁３７Ａを有する筒状の蛇腹状部材３７であっても良い。蛇腹状部材３７は、一端部（図９における上端部）が閉鎖され、他端部（図９における下端部）が開放され、この開放端部が連通管３０と連通している。蛇腹状部材３７は、蛇腹状の側壁３７Ａが伸縮可能とされており、図１０に示すように側壁３７Ａが伸長することにより、空気室２８が拡大され、図９に示すように側壁３７Ａが縮むことにより、空気室２８が縮小される。
【００５９】
連通管３０は、サイフォン起動基準水頭よりも上方で排水導入管１８の下部と一端部（上流端部）が連通し、他端部（下流端部）が水廻り器具１６の下方位置において上方に延出されると共に空気室２８と連通している。これにより、空気室２８は、サイフォン起動基準水頭よりも上方で排水導入管１８と連通している。なお、図中には、サイフォン起動基準水頭を符号Ｈｉｓにて示している。
【００６０】
連通管３０の上流端部は、具体的には、排水導入管１８の直線管部１８Ａに接続されている。これにより、袋部材３４（空気室２８）が直線管部１８Ａと一体に取り外せるので、袋部材３４（空気室２８）のメンテナンス作業等が容易となる。なお、連通管３０の上流端部は、排水導入管１８の上部に接続されていても良い。
【００６１】
また、連通管３０の上流端部は、図１１に示すように、排水導入管１８の下流管部１８Ｃに接続されていても良いし、サイフォン起動基準水頭よりも下方で排水導入管１８に接続されていても良い。
【００６２】
また、連通管３０の下流端部は、図１２に示すように、水廻り器具１６の上方に配置されていても良い。このように、連通管３０の下流端部を水廻り器具１６の上方に配置すれば、空気室２８が水廻り器具１６の上方に配置でき、空気室２８内に排水導入管１８から排水がより流入するのを防止できる。また、連通管３０の下流端部は、水廻り器具１６と同じ高さをされていても良い。
【００６３】
また、連通管３０は、中間部が屈曲してＬ字状に形成されており、排水導入管１８から横方向に延びる横管３０Ａと、横管３０Ａから上方に延びる縦管３０Ｂとで構成されている。なお、連通管３０は、図１３に示すように、排水導入管１８から斜め上方に延びる構成であってもよいし、図１４に示すように、水平方向に延びる構成であっても良い。
【００６４】
なお、サイフォン起動基準水頭は、サイフォン力が発生するために必要な排水の排水管（排水導入管１８及びサイフォン排水管２２）内における水位である。これは、サイフォン排水管中への水の押し込みの圧力としてある程度の圧力が必要で、この圧力が得られる水位にならないと、どれだけ時間が経過してもサイフォン力が発生しないという現象に基づくものである。
【００６５】
なお、連通管３０がない構成であっても良く、袋部材３４が直接排水導入管１８に連通している構成であってもよい。
また、連通管３０には、外部からの空気を排水導入管１８へ通過させると共に排水導入管１８から外部へ排水を通過させない通気弁３２が設けられている。この通気弁３２としては、後述のメンブレンバルブなどのように弾性体を用いたものや、ボール式逆止弁など、種々の機械要素により構成された逆止弁を用いることが可能である。
【００６６】
また、空気室２８から排水導入管１８側へ流入する空気の流入抵抗が、通気弁３２から排水導入管１８側へ流入する空気の流入抵抗よりも小さくなっている。すなわち、排水導入管１８へは、通気弁３２からよりも空気室２８からのほうが、空気が流入しやすくなっている。
この空気の流入しやすさは、例えば、空気室２８を形成する形成部材の柔軟性が高くして、空気室２８が拡縮しやすくすることにより調整できる。また、形成部材として、ゴムなどの弾性変形するものを用いて、拡大した空気室２８を縮小しようとする復元力を発揮させることで、さらに、空気室２８から排水導入管１８に空気が流入しやすくなる。
また、空気室２８と排水導入管１８との間の経路における流通抵抗によっても、流入抵抗を調整可能となる。例えば、その経路の流路幅が広くすること及び流路長さが短くすることで流通抵抗を小さくし、空気室２８から排水導入管１８に空気が流入しやすくすることができる。
【００６７】
通気弁３２は、連通管３０ではなく、図１５に示すように、排水導入管１８の上流管部１８Ｂに配置される構成であってもよい。また、サイフォン排水システム１００としては、通気弁３２を有さない構成であってもよい。
【００６８】
また、図１６に示すように、自封式の排水トラップを通気弁として用いる構成であってもよい。
図１６に示す構成では、水廻り器具１６には、通気弁として用いられる自封式の排水トラップの一例としてのメンブレンバルブ４０が設けられている。このメンブレンバルブ４０は、弾性材料で筒状に形成され、上流側が常時開口しており、下流側が開閉可能とされ、かつ自由状態では閉じている。
【００６９】
また、メンブレンバルブ４０は、排水導入管１８に沿って縦方向に取り付けられており、上流端部４０Ａが上側に配置され、下流端部４０Ｂが下側に配置されている。
メンブレンバルブ４０は、ゴム等の弾性体からなる筒状の成形品であり、自由状態では、上流端部４０Ａ側は、図１６（Ａ）、図１７（Ａ）及び図１８（Ａ）に示すように、円形に形成されて開口しているが、図１８に示すように、下流端部４０Ｂへ向かうにしたがって徐々に潰された形状に形成され、中間部では断面が楕円形とされ、下流端部４０Ｂでは図１７（Ｂ）に示すように、軸方向から見て直線状となって互いに対向する内周面が接触して開口が閉じた状態となっている。
【００７０】
下流端部４０Ｂは、開口が開閉可能に閉じており、メンブレンバルブ４０に排水が流入していないときであって、排水導入管１８が負圧となっていないときに開口が閉じた状態で維持されるように癖付けられる。
また、下流端部４０Ｂは、メンブレンバルブ４０に排水が流入したとき及び排水導入管１８内が負圧となったときに、図１７（Ｃ）及び図１８（Ｂ）に示すように、その圧力で開口するようになっている。
【００７１】
（第２実施形態に係るサイフォン排水システム１００の作用）
次に、第２実施形態に係るサイフォン排水システム１００の作用を説明する。
サイフォン排水システム１００において、少量の排水がなされた場合では、図１９（Ａ）に示すように、排水導入管１８の直線管部１８Ａを流れる排水は、図１９（Ｂ）に示すように、排水導入管１８の下流管部１８Ｃ（Ｒ部分）及び横引き管２４の上流端部に溜りはじめ、図１９（Ｃ）に示すように、排水導入管１８の下流管部１８Ｃ（Ｒ部分）及び横引き管２４の上流端部を塞いでしまう場合がある。
また、特に、ディスポーザ２１を設けた構成においては、粉砕物と共に排水を流すものであるから、排水導入管１８内のＲ管１８Ｂなどに粉砕物及び排水が残留しやすく、排水導入管１８内の空気が下流側に排出されにくい状態となりやすい。
【００７２】
このように、排水導入管１８内の下流管部１８Ｃや横引き管２４の上流端部などに溜まった排水などによって、排水導入管１８内の空気が下流側に排出されにくい状態となった場合において、図２０に示すように、水廻り器具１６から排水がなされると、排水導入管１８が正圧となり、水廻り器具１６からの排水に押圧される排水導入管１８内の空気が空気室２８に流入し始める。
【００７３】
排水導入管１８内の空気が空気室２８に流入して、図２１に示すように、袋部材３４が膨出状態となり、排水導入管１８内の空気が空気室２８に逃げることができる。
これにより、水廻り器具１６からの排水は、排水導入管１８をほぼ自由落下の速度が流れるため、排水導入管１８をスムーズに流れ、水廻り器具１６の排水口１６Ａ付近の排水の滞留が抑制できる。
【００７４】
また、図１９に示すように、排水導入管１８の下流管部１８Ｃ及び横引き管２４の上流端部が排水で塞がれることで、水廻り器具１６の排水トラップ１７との間、つまり、排水導入管１８内で空気が閉じ込めるため、排水導入管１８に空気室２８を連通される第２実施形態の構成によれば、横引き管２４の中間部分や横引き管２４の下流端部で空気室２８を連通させる構成に比較して、排水の抵抗となる空気を効率よく逃がすことが可能となる。
【００７５】
また、水廻り器具１６からの排水が、排水導入管１８をほぼ自由落下の速度が流れるため、横引き管２４に勢いよく排水が流入するので、サイフォン力の起動が早くなる。
また、第２実施形態の構成では、空気室２８に空気が流入しても、空気室２８は、密閉された空間であるので、汚臭等が外部に漏れない。
【００７６】
また、第２実施形態の構成では、サイフォン起動基準水頭よりも上方で、空気室２８が排水導入管１８と連通しているので、空気室２８内に排水導入管１８から排水が流入しにくい。
また、第２実施形態の構成によれば、連通管３０は、上方に延出された他端部が空気室２８と連通するので、空気室２８内に排水導入管１８から排水がより流入しにくい。
また、第２実施形態の構成によれば、水廻り器具１６の下方スペースにおいて、連通管３０を上方へ長く延ばせるので、空気室２８内に排水導入管１８から排水がより流入しにくいと共に水廻り器具１６の下方スペースへの連通管３０の納まりがよい。
【００７７】
また、図２２に示すように、排水導入管１８内を流れた排水が、横引き管２４を流れ、竪管２６を流下してサイフォン力が作用すると、排水導入管１８内の排水と共に空気が下流側に引っ張られ、図２３に示すように、空気室２８内に逃げた空気が排水導入管１８に流入し、袋部材３４が扁平状態となる。これにより、排水導入管１８内が負圧となりにくくなる。
【００７８】
さらに、図２４に示すように、空気室２８内の空気が無くなった後に排水導入管１８内の空気が下流側に引っ張られた場合では、通気弁３２から空気が流入し、排水導入管１８内がより負圧となりにくい。
これにより、排水導入管１８内が負圧となることで生じる問題、例えば、水廻り器具１６の水封式の排水トラップで空気を吸い込むことで生じる騒音や排水トラップの破封などを解消できる。
【００７９】
図２５は、水廻り器具１６において洗い流しがなされた場合における排水導入管１８内の圧力変動と、その圧力変動に伴う袋部材３４の状態変化及び通気弁３２の通気状態を示したものである。図２５中の矢印Ａは、袋部材３４が膨出状態にあることを示し、矢印Ｂは、袋部材３４が扁平状態にあることを示し、矢印Ｃは、通気弁３２が通気状態にあることを示す。
【００８０】
水廻り器具１６において洗い流しがなされると、サイフォン力が起動するまでの時間において、排水導入管１８内が正圧となり、また、サイフォン力が起動した後は、不定期にサイフォン力がきれた際に瞬間的に排水導入管１８内が正圧となる。排水導入管１８内が正圧となった場合に、袋部材３４が膨出状態となる。排水導入管１８内が正圧となる時間は、限られているので、袋部材３４のように空気室２８の容量が限られているものでも対応可能である。
【００８１】
一方、サイフォン力が起動してサイフォン力が作用している間は、排水導入管１８内は、負圧となる。排水導入管１８内が負圧となった場合には、袋部材３４が扁平状態となる。
排水導入管１８内が負圧となる時間は、排水導入管１８内が正圧となる時間よりも長いため、袋部材３４のように空気室２８の容量が限られているものだけでなく、第２実施形態のように、排水導入管１８に空気を流入可能な通気弁３２が設けられていることが望ましい。
【００８２】
また、排水導入管１８内の正圧と負圧とは繰り返されるので、第２実施形態のように、空気室２８内に逃げた空気が最初に排水導入管１８に流入してから、通気弁３２から空気が流入することにより、正圧となったときに空気室２８の室内が縮小されて元の状態に戻っていることが望ましい。これにより、負圧となった後に再び正圧となった場合でも、その排水に押圧される排水導入管１８内の空気を空気室２８内に逃がすことができ、水廻り器具１６の排水口１６Ａ付近の排水の滞留が効果的に抑制できる。
【００８３】
本発明は、上記の実施形態に限るものではなく、種々の変形、変更、改良が可能である。例えば、第１実施形態及び第２実施形態では、サイフォン排水システムについて説明したが、勾配によらない送水力を排水に作用させて排水する排水システムとしては、サイフォン排水システムに限られず、図２６に示すように、真空ポンプ９０を用いて排水する排水システムであっても良い。
図２６に示す排水システムでは、竪管２６が設けられておらず、横引き管２４が継手９２によって排水立て管１２に接続されている。真空ポンプ９０は、横引き管２４の下流側（排水立て管１２側）に設けられ、横引き管２４の下流側で負圧を発生させて、排水を吸引することにより排水する。
【００８４】
勾配によらない送水力を排水に作用させて排水する排水システムとしては、図２７に示すように、圧送ポンプ９４を用いて排水する排水システムであっても良い。
図２７に示す排水システムでは、竪管２６が設けられておらず、横引き管２４が継手９２によって排水立て管１２に接続されている。圧送ポンプ９４は、排水導入管１８（具体的には、上流管部１８Ｂに設けられ、排水導入管１８で加圧して、排水を下流側へ押圧することにより排水する。なお、圧送ポンプ９４は、横引き管２４の上流端部に配置されていてもよい。
【符号の説明】
【００８５】
１０、１００  サイフォン排水システム
１６   水廻り器具
１８   排水導入管
１８Ａ 直線管部
１８Ｂ 上流管部
１８Ｃ 下流管部
２１   ディスポーザ
２４   横引き管
２６   竪管
２８   空気室
３０   連通管
３２   通気弁
３４   袋部材
４０   メンブレンバルブ（自封式の排水トラップの一例）
５１   第１継手
５２   第２継手
５１Ａ 筒状部材
５２Ｂ 筒状部材
【図１】
2010281070.tif 000003
【図２】
2010281070.tif 000004
【図３】
2010281070.tif 000005
【図４】
2010281070.tif 000006
【図５】
2010281070.tif 000007
【図６】
2010281070.tif 000008
【図７】
2010281070.tif 000009
【図８】
2010281070.tif 000010
【図９】
2010281070.tif 000011
【図１０】
2010281070.tif 000012
【図１１】
2010281070.tif 000013
【図１２】
2010281070.tif 000014
【図１３】
2010281070.tif 000015
【図１４】
2010281070.tif 000016
【図１５】
2010281070.tif 000017
【図１６】
2010281070.tif 000018
【図１７】
2010281070.tif 000019
【図１８】
2010281070.tif 000020
【図１９】
2010281070.tif 000021
【図２０】
2010281070.tif 000022
【図２１】
2010281070.tif 000023
【図２２】
2010281070.tif 000024
【図２３】
2010281070.tif 000025
【図２４】
2010281070.tif 000026
【図２５】
2010281070.tif 000027
【図２６】
2010281070.tif 000028
【図２７】
2010281070.tif 000029